【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
複数の遊技媒体を貯留する貯留手段と、
その貯留手段に連通され、前記遊技媒体が流入すると共にその遊技媒体の流下方向と交わる交差方向に少なくとも３以上設けられた複数の通路と、
その複数の通路にそれぞれ設けられ、その通路を前記遊技媒体が通過することを許容又は禁止する通過許容禁止手段と、
前記複数の通路をほぼ同数ずつ通過するように、前記通路毎に遊技媒体を振り分ける振分手段と、
その振分手段により振り分けられた数の遊技媒体が前記通路を通過するように、前記通過許容禁止手段を制御する制御手段とを備え、
前記振分手段は、
前記通路を遊技媒体が通過することを許容するよう前記通過許容禁止手段が前記制御手段によって制御されて前記遊技媒体の通過が開始された後に、前記通路に振り分けられた遊技媒体の通過が完了せずに未通過となると、
前記遊技媒体の通過が完了しなかった第１通路以外の第２通路へ前記通過が完了しなかった未通過分の遊技媒体を再度振り分けると共に、
その未通過分の遊技媒体を前記第２通路へ再度振り分ける場合に、前記第２通路のうち前記第１通路の隣に設けられた隣接通路に優先して振り分けることにより、その隣接通路に振り分ける遊技媒体数を、前記隣接通路以外の第２通路へ振り分ける遊技媒体数より多くなることを特徴とする遊技機。
【請求項２】
前記未通過分の遊技媒体数に対応した値が記憶される遊技媒体数記憶手段と、その遊技媒体数記憶手段に記憶される前記未通過分の遊技媒体数に対応した値と所定数に対応した値とを比較して判断する比較判断手段とを備え、
前記振分手段は、前記遊技媒体の通過が完了しなかった第１通路以外の第２通路へ前記未通過分の遊技媒体を再度振り分ける場合に、前記遊技媒体数記憶手段に記憶される前記未通過分の遊技媒体数に対応した値が前記所定数に対応した値以下であると前記比較判断手段により判断されると、その未通過分の遊技媒体の全てを前記第２通路のうち前記第１通路の隣に設けられた隣接通路に振り分けることを特徴とする請求項１記載の遊技機。
【請求項３】
前記振分手段は、
前記遊技媒体の通過が完了しなかった第１通路以外の第２通路へ前記未通過分の遊技媒体を再度振り分ける場合に、前記遊技媒体数記憶手段に記憶される前記未通過分の遊技媒体数に対応した値が前記所定数に対応した値より大きいと前記比較判断手段により判断されると、
その未通過分の遊技媒体のうち所定数の遊技媒体を前記第２通路のうち前記第１通路の隣に設けられた隣接通路に振り分けると共に、前記未通過分の遊技媒体から所定数の遊技媒体を減算して残った遊技媒体を、前記隣接通路を含む第２通路へほぼ均等に振り分けることを特徴とする請求項２記載の遊技機。
【手続補正２】
【補正対象書類名】明細書
【補正対象項目名】０００７
【補正方法】変更
【補正の内容】
【０００７】
この目的を達成するために請求項１記載の遊技機は、複数の遊技媒体を貯留する貯留手段と、その貯留手段に連通され、前記遊技媒体が流入すると共にその遊技媒体の流下方向と交わる交差方向に少なくとも３以上設けられた複数の通路と、その複数の通路にそれぞれ設けられ、その通路を前記遊技媒体が通過することを許容又は禁止する通過許容禁止手段と、前記複数の通路をほぼ同数ずつ通過するように、前記通路毎に遊技媒体を振り分ける振分手段と、その振分手段により振り分けられた数の遊技媒体が前記通路を通過するように、前記通過許容禁止手段を制御する制御手段とを備え、前記振分手段は、前記通路を遊技媒体が通過することを許容するよう前記通過許容禁止手段が前記制御手段によって制御されて前記遊技媒体の通過が開始された後に、前記通路に振り分けられた遊技媒体の通過が完了せずに未通過となると、前記遊技媒体の通過が完了しなかった第１通路以外の第２通路へ前記通過が完了しなかった未通過分の遊技媒体を再度振り分けると共に、その未通過分の遊技媒体を前記第２通路へ再度振り分ける場合に、前記第２通路のうち前記第１通路の隣に設けられた隣接通路に優先して振り分けることにより、その隣接通路に振り分ける遊技媒体数を、前記隣接通路以外の第２通路へ振り分ける遊技媒体数より多くなる。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
請求項１記載の遊技機によれば、貯留手段に貯留される複数の遊技媒体を投入または払い出す場合、貯留手段と連通する複数の通路を遊技媒体がほぼ同数ずつ通過するように各通路毎に遊技媒体が振分手段によって振り分けられる。各通路毎に設けられた通過許容禁止手段が制御手段によって制御され、各通路の遊技媒体の通過が許容又は禁止され、振り分けられた数の遊技媒体が振り分けられた通路を通過して、遊技媒体の投入または払い出しが行われる。また、遊技媒体の通過を許容するよう通過許容禁止手段が制御手段により制御され、その通路に振り分けられた数の遊技媒体の通過が完了せずに未通過分の遊技媒体があると、その遊技媒体の通過が完了しなかった第１通路に隣接する第２通路に未通過分の遊技媒体が振分手段により再度振り分けられる。未通過分の遊技媒体が第２通路に再度振り分けられる場合には、第１通路に隣接する隣接通路以外の第２通路に振り分けられる遊技媒体数に対して、その隣接通路に振り分けられる遊技媒体数の方が多く振り分けられる。
【手続補正１１】
【補正対象書類名】明細書
【補正対象項目名】００２１
【補正方法】変更
【補正の内容】
【００２１】
しかし、請求項１記載の遊技機によれば、遊技媒体の通過が完了せずに未通過分の遊技媒体があると、その通過が完了しなかった第１通路の隣に設けられた隣接通路へ多くの遊技媒体を優先して再度振り分けて通過させるので、再度振り分けられた遊技媒体が通路内を通過する際に生じる振動や通過許容禁止手段が動作することで生じる振動が第１通路に伝わり、その振動により遊技媒体の詰まりが解消されやすくなる。また、第１通路の隣の通路において遊技媒体の投入または払い出しが行われるので、隣接通路内にある遊技媒体が減ることで、第１通路入口近傍に詰まった遊技媒体が崩れやすくなる。よって、再度遊技媒体を振り分ける場合に隣接通路へ遊技媒体を多く振り分けることで、遊技媒体の詰まりなどを早期に解消しやすくできるので、遊技の妨げを低減できると共に遊技媒体を迅速に投入または払い出し、スムーズな遊技の進行ができるという効果がある。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】０４３３
【補正方法】変更
【補正の内容】
【０４３３】
ここで、本実施形態において、請求項１記載の遊技機の振分手段としては図３４のＳ１２１９の処理が該当し、請求項１記載の遊技機の制御手段としては図３４のＳ１２２５の処理が該当し、請求項２記載の遊技機の比較判断手段としては図３５のＳ１２４４の処理が該当する。
【手続補正２１】
【補正対象書類名】明細書
【補正対象項目名】０４３５
【補正方法】変更
【補正の内容】
【０４３５】
１                          遊技球使用回胴遊技機（遊技機）
１１０                      主制御装置
２１０                      払出制御装置
２１２ａ                    優先リトライ条設定テーブル記憶領域（第１記憶手段）
２１３ｄ                    総払出個数カウンタ（遊技媒体数記憶手段）
２１３ｇ１〜２１３ｇ４      払出リトライフラグ（第２記憶手段）
９１０                      タンク（貯留手段の一部）
９２０                      タンクレール（貯留手段の一部、通路の一部）
９２１ａ〜９２１ｃ          仕切壁（隔壁）
９２１ａ１〜９２１ｃ１      仕切壁の端部（隔壁の流下方向上流側の端部）
９２１ａ２〜９２１ｃ２      仕切壁の傾斜面（隔壁の端部の傾斜面）
９２２ａ〜９２２ｄ          球通路（通路の一部）
９３１ａ〜９３１ｄ          球通路（通路の一部）
９４３ａ                    第１球通路（通路の一部）
９４３ｂ                    第２球通路（通路の一部）
９４４ａ１，９４４ｂ１      フリッカー（通過許容禁止手段）